(57)【要約】受信信号の周波数追跡のための方法および装置。局面では、方法が提供される。ここでは、受信信号は、周期的構造を有する１または複数のシンボルを備える。この方法は、データでスクランブルされたパイロット信号を備える選択されたシンボルの複数のサンプルを受け取ることと、ウィンドウ・サイズおよび周期性ファクタを決定することとを備える。この方法はまた、蓄積された相関値を生成するために、第１のウィンドウ内のサンプルと、第２のウィンドウ内のサンプルとの間の相関を蓄積することを備える。ここで、第１のウィンドウと第２のウィンドウとは、ウィンドウ・サイズおよび周期性ファクタにそれぞれ基づくサイズおよび区切りを有している。この方法は更に、蓄積された相関値に基づいて、周波数誤り推定値を導出することを備える。
2009522962.tif 000002
【特許請求の範囲】
【請求項１】
受信信号の周波数追跡のための方法であって、前記受信信号は、周期的構造を有する１または複数のシンボルを備え、前記方法は、
データでスクランブルされたパイロット信号を備える選択されたシンボルの複数のサンプルを受け取ることと、
ウィンドウ・サイズおよび周期性ファクタを決定することと、
蓄積された相関値を生成するために、第１のウィンドウ内のサンプルと、第２のウィンドウ内のサンプルとの間の相関を蓄積することとを備え、
前記第１のウィンドウと前記第２のウィンドウとは、前記ウィンドウ・サイズおよび前記周期性ファクタにそれぞれ基づくサイズおよび区切りを有しており、
前記方法は更に、前記蓄積された相関値に基づいて、周波数誤り推定値を導出することを備える方法。
【請求項２】
更新された周波数推定値を生成するために、前記周波数誤り推定値を用いて、現在の周波数推定値を調節することを更に備える請求項１に記載の方法。
【請求項３】
前記調節することは、ｆｎ＋１＝ｆｎ＋αΔｆｎ、ここでαはループ利得値、に従って前記更新された周波数推定値を生成することを備える請求項２に記載の方法。
【請求項４】
前記受け取ることは、前記選択されたシンボルの複数のサンプルを受け取ることを備え、
前記選択されたシンボルは、ＷＩＣシンボル、ＬＩＣシンボル、およびＴＤＭ２シンボルのうちの１つから選択される請求項１に記載の方法。
【請求項５】
前記決定することは、複数のシンボルに対して共通になるように前記ウィンドウ・サイズおよび前記周期性ファクタを決定することを備える請求項１に記載の方法。
【請求項６】
受信信号の周波数追跡のための装置であって、前記受信信号は、周期的構造を有する１または複数のシンボルを備え、前記装置は、
データでスクランブルされたパイロット信号を備える選択されたシンボルの複数のサンプルを受け取るように構成された入力ロジックと、
ウィンドウ・サイズおよび周期性ファクタを決定するように構成された制御ロジックと、
蓄積された相関値を生成するために、第１のウィンドウ内のサンプルと、第２のウィンドウ内のサンプルとの間の相関を蓄積するように構成された相関器とを備え、
前記第１のウィンドウと前記第２のウィンドウとは、前記ウィンドウ・サイズおよび前記周期性ファクタにそれぞれ基づくサイズおよび区切りを有しており、
前記装置は更に、前記蓄積された相関値に基づいて、周波数誤り推定値を導出するように構成された位相蓄積器を備える装置。
【請求項７】
更新された周波数推定値を生成するために、前記周波数誤り推定値を用いて、現在の周波数推定値を調節するように構成された位相回転子を更に備える請求項６に記載の装置。
【請求項８】
前記位相回転子は、ｆｎ＋１＝ｆｎ＋αΔｆｎ、ここでαはループ利得値、に従って前記更新された周波数推定値を生成するように構成された請求項７に記載の装置。
【請求項９】
前記入力ロジックは、前記選択されたシンボルの複数のサンプルを受け取るように構成され、
前記選択されたシンボルは、ＷＩＣシンボル、ＬＩＣシンボル、およびＴＤＭ２シンボルのうちの１つから選択される請求項６に記載の装置。
【請求項１０】
前記制御ロジックは、複数のシンボルに対して共通になるように前記ウィンドウ・サイズおよび前記周期性ファクタを決定するように構成された請求項６に記載の装置。
【請求項１１】
受信信号の周波数追跡のための装置であって、前記受信信号は、周期的構造を有する１または複数のシンボルを備え、前記装置は、
データでスクランブルされたパイロット信号を備える選択されたシンボルの複数のサンプルを受け取る手段と、
ウィンドウ・サイズおよび周期性ファクタを決定する手段と、
蓄積された相関値を生成するために、第１のウィンドウ内のサンプルと、第２のウィンドウ内のサンプルとの間の相関を蓄積する手段とを備え、
前記第１のウィンドウと前記第２のウィンドウとは、前記ウィンドウ・サイズおよび前記周期性ファクタにそれぞれ基づくサイズおよび区切りを有しており、
前記装置は更に、前記蓄積された相関値に基づいて、周波数誤り推定値を導出する手段を備える装置。
【請求項１２】
更新された周波数推定値を生成するために、前記周波数誤り推定値を用いて、現在の周波数推定値を調節する手段を更に備える請求項１１に記載の装置。
【請求項１３】
前記調節する手段は、ｆｎ＋１＝ｆｎ＋αΔｆｎ、ここでαはループ利得値、に従って前記更新された周波数推定値を生成する手段を備える請求項１２に記載の装置。
【請求項１４】
前記受け取る手段は、前記選択されたシンボルの複数のサンプルを受け取る手段を備え、
前記選択されたシンボルは、ＷＩＣシンボル、ＬＩＣシンボル、およびＴＤＭ２シンボルのうちの１つから選択される請求項１１に記載の装置。
【請求項１５】
前記決定する手段は、複数のシンボルに対して共通になるように前記ウィンドウ・サイズおよび前記周期性ファクタを決定する手段を備える請求項１１に記載の装置。
【請求項１６】
少なくとも１つのプロセッサによって実行された場合、周期的構造を有する１または複数のシンボルを備える受信信号の周波数追跡を提供するように動作する命令群を備えたコンピュータ・プログラムを有するコンピュータ読取可能媒体であって、
前記コンピュータ・プログラムは、
データでスクランブルされたパイロット信号を備える選択されたシンボルの複数のサンプルを受け取る命令群と、
ウィンドウ・サイズおよび周期性ファクタを決定する命令群と、
蓄積された相関値を生成するために、第１のウィンドウ内のサンプルと、第２のウィンドウ内のサンプルとの間の相関を蓄積する命令群とを備え、
前記第１のウィンドウと前記第２のウィンドウとは、前記ウィンドウ・サイズおよび前記周期性ファクタにそれぞれ基づくサイズおよび区切りを有しており、
前記コンピュータ・プログラムは更に、前記蓄積された相関値に基づいて、周波数誤り推定値を導出する命令群を備えるコンピュータ読取可能媒体。
【請求項１７】
更新された周波数推定値を生成するために、前記周波数誤り推定値を用いて、現在の周波数推定値を調節する命令群を更に備える請求項１６に記載のコンピュータ・プログラム。
【請求項１８】
前記調節する命令群は、ｆｎ＋１＝ｆｎ＋αΔｆｎ、ここでαはループ利得値、に従って前記更新された周波数推定値を生成する命令群を備える請求項１７に記載のコンピュータ・プログラム。
【請求項１９】
前記受け取る命令群は、前記選択されたシンボルの複数のサンプルを受け取る命令群を備え、
前記選択されたシンボルは、ＷＩＣシンボル、ＬＩＣシンボル、およびＴＤＭ２シンボルのうちの１つから選択される請求項１６に記載のコンピュータ・プログラム。
【請求項２０】
前記決定する命令群は、複数のシンボルに対して共通になるように前記ウィンドウ・サイズおよび前記周期性ファクタを決定する命令群を備える請求項１６に記載のコンピュータ・プログラム。
【請求項２１】
受信信号の周波数追跡のための方法を実行するように構成された少なくとも１つのプロセッサであって、前記受信信号は、周期的構造を有する１または複数のシンボルを備え、
前記方法は、
データでスクランブルされたパイロット信号を備える選択されたシンボルの複数のサンプルを受け取ることと、
ウィンドウ・サイズおよび周期性ファクタを決定することと、
蓄積された相関値を生成するために、第１のウィンドウ内のサンプルと、第２のウィンドウ内のサンプルとの間の相関を蓄積することとを備え、
前記第１のウィンドウと前記第２のウィンドウとは、前記ウィンドウ・サイズおよび前記周期性ファクタにそれぞれ基づくサイズおよび区切りを有しており、
前記方法は更に、前記蓄積された相関値に基づいて、周波数誤り推定値を導出することを備える少なくとも１つのプロセッサ。
【請求項２２】
更新された周波数推定値を生成するために、前記周波数誤り推定値を用いて、現在の周波数推定値を調節することを更に備える請求項２１に記載の方法。
【請求項２３】
前記調節することは、ｆｎ＋１＝ｆｎ＋αΔｆｎ、ここでαはループ利得値、に従って前記更新された周波数推定値を生成することを備える請求項２２に記載の方法。
【請求項２４】
前記受け取ることは、前記選択されたシンボルの複数のサンプルを受け取ることを備え、
前記選択されたシンボルは、ＷＩＣシンボル、ＬＩＣシンボル、およびＴＤＭ２シンボルのうちの１つから選択される請求項２１に記載の方法。
【請求項２５】
前記決定することは、複数のシンボルに対して共通になるように前記ウィンドウ・サイズおよび前記周期性ファクタを決定することを備える請求項２１に記載の方法。
【発明の詳細な説明】
【技術分野】
【０００１】
本出願は、一般に、配信ネットワークを介した情報の送信に関し、特に、受信信号の改善された周波数追跡のための方法および装置に関する。
【背景技術】
【０００２】
例えば無線通信ネットワークのようなデータ・ネットワークは、単一の端末のためにカスタマイズされたサービスと、多くの端末に提供されるサービスとの間でのトレード・オフを要する。例えば、多数のリソース制限されたポータブル・デバイス（加入者）へのマルチメディア・コンテンツの配信は、複雑な問題である。従って、ネットワーク・アドミニストレータ、コンテンツ・リテーラ、およびサービス・プロバイダが、高速かつ効率的な方法で、コンテンツおよび／またはその他のネットワーク・サービスを配信し、それによって、帯域幅利用度と電力効率とを高めることは非常に重要である。
【０００３】
現在のコンテンツ配送／メディア配信システムにおいて、リアルタイム・サービスおよび非リアルタイム・サービスが送信フレームにパックされ、ネットワーク上のデバイスへ配信される。例えば、通信ネットワークは、ネットワーク・サーバと１または複数のモバイル・デバイスとの間に通信を提供するために、直交周波数分割多重（ＯＦＤＭ）を利用することができる。この技術は、配信ネットワークを介して配信されるサービスでパックされたデータ・スロットを有する送信フレームを、送信波形として提供する。
【０００４】
一般に、送信フレームは、送信波形としてネットワークを介して伝えられる。送信されたコンテンツを復元できるように、ネットワークと通信しているデバイスは、この波形を獲得し、追跡する。あいにく、従来のシステムは、波形を獲得し追跡するために、幾らか時間を要しうる。例えば、同期のために与えられる時分割多重パイロット信号の終端において残留周波数誤りが高い場合、データ変調は、適切に復号されないかもしれない。従って、周波数誤りと、タイミング誤りとが、データ復調の開始前に、受信機において最小化されることは非常に重要である。
【０００５】
従って、受信波形において符号化された情報を正確に復号できるように、受信波形の周波数およびタイミングを迅速に獲得し追跡するように動作するシステムを有することが望ましいだろう。
【発明の開示】
【０００６】
（３５Ｕ．Ｓ．Ｃ．§１１９の下の優先権主張）  
この特許出願は、２００６年１月６日に出願され、本明細書の譲受人に譲渡された「ＡＦＣ  ＴＲＡＣＫＩＮＧ  ＩＮ  ＷＩＣ／ＬＩＣ  ＯＦＤＭ  ＳＹＭＢＯＬＳ」と題され、参照によって明確に本明細書に組み込まれた米国仮出願６０／７５６，７３７号の優先権を主張する。
【発明の概要】
【０００７】
１または複数の局面では、受信波形を迅速に獲得し周波数追跡するように動作する方法および装置を備える周波数追跡システムが提供される。局面では、この追跡システムは、受信波形の開始時に与えられる広域識別シンボルおよびローカル・エリア識別シンボルの周期的構造を利用して、初期周波数推定値の調節に用いられる周波数誤り推定値を生成するように動作し、これによって、受信波形が迅速に獲得され周波数追跡されるようになる。
【０００８】
局面では、受信信号の周波数追跡のための方法が提供される。この受信信号は、周期的構造を有する１または複数のシンボルを備える。この方法は、データでスクランブルされたパイロット信号を備える選択されたシンボルからなる複数のサンプルを受け取ることと、ウィンドウ・サイズおよび周期性ファクタを決定することとを備える。また、この方法は、第１のウィンドウ内のサンプルと、第２のウィンドウ内のサンプルとの間の相関性を蓄積して、蓄積された相関値を生成することを備える。ここで、第１のウィンドウと第２のウィンドウとは、ウィンドウ・サイズおよび周期性ファクタにそれぞれ基づくサイズおよび区切りを有する。そして更にこの方法は、蓄積された相関値に基づいて、周波数誤り推定値を導出する。
【０００９】
別の局面では、受信信号の周波数追跡のための装置が提供される。ここで、受信信号は、周期的構造を有する１または複数のシンボルを備える。この装置は、データでスクランブルされたパイロット信号を備える選択されたシンボルからなる複数のサンプルを受け取るように構成された入力ロジックと、ウィンドウ・サイズおよび周期性ファクタを決定するように構成された制御ロジックとを備える。また、この装置は、第１のウィンドウ内のサンプルと、第２のウィンドウ内のサンプルとの間の相関性を蓄積し、蓄積された相関値を生成するように構成された相関器を備える。ここで、第１のウィンドウおよび第２のウィンドウは、ウィンドウ・サイズおよび周期性ファクタそれぞれに基づくサイズおよび区切りを有している。そしてこの装置は更に、蓄積された相関値に基づいて周波数誤り推定値を導出するように構成された位相蓄積器を備える。
【００１０】
別の局面では、受信信号の周波数追跡のための装置が提供される。ここで、受信信号は、周期的構造を有する１または複数のシンボルを含む。この装置は、データでスクランブルされたパイロット信号を備えた選択されたシンボルからなる複数のサンプルを受け取る手段と、ウィンドウ・サイズおよび周期性ファクタを決定する手段とを備える。またこの装置は、第１のウィンドウ内のサンプルと、第２のウィンドウ内のサンプルとの間の相関性を蓄積し、蓄積された相関値を生成する手段を備える。ここで、第１のウィンドウおよび第２のウィンドウは、ウィンドウ・サイズおよび周期性ファクタそれぞれに基づくサイズおよび区切りを有している。そしてこの装置は更に、蓄積された相関値に基づいて周波数誤り推定値を導出する手段を備える。
【００１１】
別の局面では、少なくとも１つのプロセッサによって実行された場合、受信信号の周波数追跡を提供するように動作する命令群を備えたコンピュータ・プログラムを有するコンピュータ読取可能媒体が提供される。ここで、受信信号は、周期的構造を有する１または複数のシンボルを備える。このコンピュータ・プログラムは、データでスクランブルされたパイロット信号を備えた選択されたシンボルからなる複数のサンプルを受け取る命令群と、ウィンドウ・サイズおよび周期性ファクタを決定する命令群とを備える。またこのコンピュータ・プログラムは、第１のウィンドウ内のサンプルと、第２のウィンドウ内のサンプルとの間の相関性を蓄積し、蓄積された相関値を生成する命令群を備える。ここで、第１のウィンドウおよび第２のウィンドウは、ウィンドウ・サイズおよび周期性ファクタそれぞれに基づくサイズおよび区切りを有している。そしてこのコンピュータ・プログラムは更に、蓄積された相関値に基づいて周波数誤り推定値を導出する命令群を備える。
【００１２】
別の局面では、受信信号の周波数追跡のための方法を実行するように構成された少なくとも１つのプロセッサが提供される。ここで、受信信号は、周期的構造を有する１または複数のシンボルを含む。この方法は、データでスクランブルされたパイロット信号を備えた選択されたシンボルからなる複数のサンプルを受け取ることと、ウィンドウ・サイズおよび周期性ファクタを決定することとを備える。またこの方法は、第１のウィンドウ内のサンプルと、第２のウィンドウ内のサンプルとの間の相関性を蓄積し、蓄積された相関値を生成する手段を備える。ここで、第１のウィンドウおよび第２のウィンドウは、ウィンドウ・サイズおよび周期性ファクタそれぞれに基づくサイズおよび区切りを有している。そしてこの方法は更に、蓄積された相関値に基づいて周波数誤り推定値を導出することを備える。
【００１３】
他の局面は、後述する図面の簡単な説明、詳細な説明、および特許請求の範囲を検討した後に明らかになるであろう。
【００１４】
前述した局面は、添付図面とともになされた以下の記述を参照することによってより容易に明らかになるであろう。
【詳細な説明】
【００１５】
１または複数の局面では、周波数追跡システムは、受信波形の迅速な獲得および周波数追跡のために提供される。説明目的で、周波数追跡システムの局面は、ネットワーク・サーバと、１または複数のモバイル・デバイスとの間の通信を提供するために直交周波数分割多重を利用する順方向リンクのみの通信ネットワークに関して説明される。例えば、ＯＦＤＭシステムの局面では、サーバは、送信波形を送信する。この送信波形は、特定の構成、シーケンス、インタリーブ、および／またはその他のリアルタイム符合化、および／またはリアルタイム・サービス以外のものを持つ多重化されたコンテンツ・フローを有する。そのような波形は、時分割多重（ＴＤＭ１およびＴＤＭ２）パイロット信号、広域識別子（ＷＩＣ）、ローカル・エリア識別子（ＬＩＣ）、オーバヘッド情報シンボル（ＯＩＳ）、およびデータ・シンボルを備える。データ・シンボルは、サーバから受信デバイスへサービスを伝送するために使用される。
【００１６】
このシステムは、無線通信ネットワークでの使用に特に適しているが、限定されないが、インターネットのような公衆ネットワーク、仮想プライベート・ネットワーク（ＶＰＮ）のようなプライベート・ネットワーク、ローカル・エリア・ネットワーク、広域ネットワーク、長距離輸送ネットワーク、あるいはその他のタイプの無線ネットワークを含む任意のタイプの無線環境において使用することができる。
【００１７】
図１は、周波数追跡システムの局面を含むネットワーク１００を示す。ネットワーク１００は、モバイル・デバイス１０２、サーバ１０４、およびデータ・ネットワーク１０６を含む。説明目的で、データ・ネットワーク１０６は、ＯＦＤＭ技術を用いる１または複数のモバイル・デバイスとサーバ１０４との間に通信を提供するように動作するが、周波数追跡システムの局面は、その他の送信技術を用いた使用にも同様に適していることが仮定されよう。
【００１８】
１つの局面では、サーバ１０４は、ネットワーク１０６と通信するデバイスによって加入されうるサービスを提供するように動作する。サーバ１０４は、通信リンク１０８を介してネットワーク１０６に接続される。通信リンク１０８は、サーバ１０４がネットワーク１０６と通信することを可能にするように動作するＯＦＤＭ技術に基づいた無線リンクのような任意の適切な通信リンクを備える。ネットワーク１０６は、例えばデバイス１０２のように、ネットワーク１０６と通信するデバイスへ、サーバ１０４からサービスが配信されるようにする有線ネットワークおよび／または無線ネットワークのあらゆる組み合わせを含む。
【００１９】
この局面のデバイス１０２は、無線リンク１１０を介してネットワーク１０６と通信するモバイル電話を備える。無線リンク１１０は、ＯＦＤＭ技術に基づいた順方向無線通信リンクと、任意の適切な技術によって提供される逆方向リンクとを備える。しかしながら、他の局面では、無線リンク１１０は、デバイスとネットワーク１０６との間の通信を可能にするように動作する任意の適切な無線技術を備えうる。
【００２０】
デバイス１０２は、デバイス１０２が、ネットワーク１０６を介してサービスを受け取るために加入することを可能にする起動処理に参加する。この起動処理は、サーバ１０４を用いて実施されうるが、この起動処理はまた、その他幾つかのサーバ、サービス・プロバイダ、コンテンツ・リテーラ、または図示しないその他のネットワーク・エンティティを用いても実施されうる。説明の目的で、デバイス１０２は、サーバ１０４を用いて起動処理を行ない、今や、サービスに申し込み、サーバ１０４からサービスを受け取る準備ができていると仮定される。
【００２１】
ネットワーク１０６は、本局面の範囲内で、任意の数および／またはタイプのポータブル・デバイスと通信できることが注目されるべきである。例えば、この追跡システムの局面での使用に適したその他のデバイスは、限定されないが、携帯情報端末（ＰＤＡ）、電子メール・デバイス、ページャ、ノート型コンピュータ、ｍｐ３プレーヤ、ビデオ・プレーヤ、あるいはデスクトップ・コンピュータを含む。
【００２２】
サーバ１０４は、リアルタイム・サービスおよび非リアルタイム・サービスを含むコンテンツを備える。例えば、このサービスは、ニュース、スポーツ、天気、財務情報、映画、および／またはアプリケーション、プログラム、スクリプト、またはその他任意のタイプの適切なコンテンツまたはサービスを含むマルチメディア・コンテンツを備える。したがって、これらサービスは、任意の適切なフォーマットでフォーマットされたビデオ、オーディオ、あるいは他の情報を含みうる。
【００２３】
コンテンツは、ベースバンド処理ロジック１１２へ入力される。ベースバンド処理ロジック１１２は、コンテンツを処理して、このコンテンツを含む１または複数の送信フレームを備えたベースバンド波形を生成する。例えば、ベースバンド処理ロジック１１２は、エンコーダ、インタリーバ、スクランブラ、マッパ、Ｄ／Ａコンバータ、及び／又はその他のタイプのベースバンド処理ロジックを備えうる。ベースバンド処理ロジック１１２は更に、送信フレームの開始時に、上述した様々なパイロット信号（すなわち、ＴＤＭ１およびＴＤＭ２）とＷＩＣ／ＬＩＣ識別子を組み込むように動作する。
【００２４】
ベースバンド処理ロジック１１２によって生成されたベースバンド波形は、ベースバンド波形を送信波形へ変調するように動作する送信機１１４へ入力される。その後、パス１１６によって示されるように、この送信波形は、ネットワーク１０６を介してデバイス１０２に送信される。
【００２５】
デバイス１０２は、受信ロジック１１８においてこの送信波形を受信する。受信ロジック１１８は、デコーダ１２２へ入力することができるベースバンド波形を得るために、送信波形を処理するために必要なあらゆる処理を提供するように動作する。デコーダ１２２は、送信されたサービスを得るために、ベースバンド波形を復号する。
【００２６】
受信ロジック１１８は、周波数追跡システム１２０の局面を備える。周波数追跡システム１２０は、ベースバンド波形を迅速に、かつ誤り無く獲得することができるように、受信波形の高速獲得および周波数追跡を提供するように動作する。局面では、周波数トラッキング・システム１２０は、送信フレームの最初に位置するＷＩＣシンボル、ＬＩＣシンボル、およびＴＤＭ２シンボルを用いることによって、受信波形のその他のシステム・パラメータとは別の周波数の獲得および追跡を行うように動作する。ＷＩＣシンボル、ＬＩＣシンボル、およびＴＤＭ２シンボルの周期的構造は、正確な周波数追跡を提供するために利用される。例えば、これらのシンボルは、送信フレームの初期に生じる周期的構造を利用するデータを伝送するように設計されている。周波数追跡システムの局面は、送信フレームの開始時において、正確な周波数追跡を迅速に確立するために、この周期的構造を利用する。このシステムは、周波数追跡を極めて迅速に確立するので、送信フレームの開始時において、情報を正確に復号することができる。周波数追跡システム１２０の更なる詳細な説明が、本明細書の別のセクションで提供される。
【００２７】
従って、周波数追跡システムの局面は、受信波形の迅速かつ効率的な取得と、周波数追跡とを行うように動作する。この周波数追跡システムは、図１に関して記述された実施に限定されず、その他の実施もまた本局面の範囲内で可能であることが注目されるべきである。
【００２８】
図２は、周波数追跡システムにおいて使用される送信フレーム２００の局面を示す。このフレーム２００は、第１の時分割多重（ＴＤＭ１）パイロット・シンボル２０２、ＷＩＣシンボル２０４、ＬＩＣシンボル２０６、および第２の（ＴＤＭ２）パイロット・シンボル２０８を含む。フレーム２００はまた、広域オーバヘッド情報シンボル（ＷＯＩＳ）２１０、およびローカル・エリア・オーバヘッド情報シンボル（ＬＯＩＳ）２１２を備える。送信されると、フレーム２００は、受信デバイスによって無線周波数波形として受信される。
【００２９】
局面では、周波数追跡システムは、高速な周波数獲得を提供するために、ＷＩＣシンボル、ＬＩＣシンボル、およびＴＤＭ２シンボルの周期的構造を利用する。そして、ＷＩＣシンボル、ＬＩＣシンボル、およびＴＤＭ２シンボルにおいて周波数追跡を行うこの追跡は、ＴＤＭ１のみを用いて最初の周波数獲得後に生じる残留周波数誤りが、ＯＩＳシンボルの復調が開始される前に訂正されることを保証する。これは、周波数オフセットによって引き起こされる復調誤りを最小化する。
【００３０】
図３は、周波数追跡システムの局面で使用されるＷＩＣシンボル、ＬＩＣシンボル、およびＴＤＭ２シンボルの周期的構造を図示するブロック図３００を示す。ＷＩＣシンボルまたはＬＩＣのシンボルは、３０２で図示される。ＷＩＣ／ＬＩＣシンボル３０２は、一般に３０６で示される５１２の副搬送波の８つのグループを備える周期的データ部が続く周期的プレフィクス３０４を備える。例えば、８つのグループ３０６は、同一の周波数成分を持っている。従って、ＷＩＣ／ＬＩＣシンボル３０２は、個々のグループ、またはグループの組み合わせに関し周期的構造を有する。
【００３１】
ＴＤＭ２シンボルは、３０８に示される。ＴＤＭ２シンボル３０８は、３１２で一般に示される２０４８の副搬送波の２つのグループを備える周期的部分が続く周期的プレフィクス３１０を備える。例えば、この２つのグループ３１２は、同一の周波数成分を持っている。従って、ＴＤＭ２シンボル３０８は、２つのグループ３１２に関し周期的構造を有する。
【００３２】
局面では、ＷＩＣ／ＬＩＣ３０２シンボルおよびＴＤＭ２  ３０８シンボルの周期的構造は、高速かつ正確な周波数追跡を提供するために利用される。周波数追跡システムの局面は、図３に示されるシンボルの周期的構造に限定されず、その他の周期的構造を有するシンボルも、周波数追跡システムの局面における使用に適していることが注目されるべきである。これらシンボルの周期的構造の利用に関するさらに詳細な説明が、本明細書の別のセクションで与えられる。
【００３３】
図４は、周波数追跡システムの局面を備える受信ロジック４００を示す。例えば、この受信ロジック４００は、図１に示す受信ロジック１１８としての使用に適している。この受信ロジック４００は、アンテナ４１４を介して受信された送信波形のＤＣオフセットを調節するＤＣオフセット・ロジック４０２を含む。例えば、この送信波形は、図２に例示されるような送信フレームを備える。ＤＣオフセット・ロジック４０２の出力は、受信波形のゲインを調節する自動ゲイン制御ロジック（ＡＧＣ）４０４へ入力される。
【００３４】
ＡＧＣ４０４の出力は、周波数追跡システム４０６の局面へ入力される。周波数追跡システム４０６は、受信波形の周波数を迅速かつ正確に獲得および追跡するように動作する。例えば、周波数追跡システム４０６の局面は、正確なデジタル周波数推定値を迅速に生成するために、受信送信フレーム内のＷＩＣシンボル、ＬＩＣシンボル、およびＴＤＭ２シンボルの周期的構造を利用する。周波数追跡システム４０６のより多くの詳細な説明は、本明細書の別のセクションで提供される。
【００３５】
周波数追跡システム４０６からのデジタル周波数推定値出力は、ＦＦＴロジック４０８への入力の周波数を調節するために用いられる。チャネル推定器４１０ブロックおよびデータ復調器４１２ブロックへの入力を生成するために、ＦＦＴロジック４０８は、周波数調節されたサンプルについて動作する。チャネル推定値４１０は、受信ロジックによって使用されるチャネル推定値を生成するように動作する。データ復調器４１２は、ユーザ・アプリケーションによって使用されるために送信フレームにおけるデータ・シンボルを復調するために、その周波数が周波数推定値によって調節されたサンプルについて動作する。
【００３６】
図５は、周波数追跡システム５００の局面を示す。例えば、追跡システム５００は、図１に示す追跡システム１２０としての使用に適している。追跡システム５００は、全てデータ・バス５０８に接続された周波数追跡ロジック５０２、入力ロジック５０４、および出力ロジック５０６を備える。
【００３７】
入力ロジック５０４は、送信波形を受信して波形サンプルを生成するように動作する任意の適切なハードウェアおよび／またはソフトウェアを備える。例えば、入力ロジック５０４は、処理ロジック、フィルタ、増幅器、Ａ／Ｄ変換器、デコーダ、および／または、送信波形を受信して波形サンプルを生成するためのその他の適切なハードウェアやソフトウェアを備える。局面では、波形サンプルは、送信波形で受信されたＷＩＣシンボル、ＬＩＣシンボル、およびＴＤＭ２シンボルの時間領域バージョンを備える。
【００３８】
周波数追跡ロジック５０２は、ＣＰＵ、プロセッサ、ゲート・アレー、ハードウェア・ロジック、仮想機械、ソフトウェア、および／またはハードウェアとソフトウェアとの任意の組合せを備える。周波数追跡ロジック５０２は、受信波形を獲得し周波数追跡するために使用可能な周波数推定値を生成するために、周波数追跡アルゴリズムを実行して波形サンプルを処理するように動作する。例えば、局面では、周波数追跡アルゴリズムは、迅速かつ正確に周波数推定値を生成するために、ＷＩＣシンボル、ＬＩＣシンボル、およびＴＤＭ２シンボルの構造を利用する。周波数追跡ロジック５０２が周波数推定値を一旦決定すると、推定値が出力ロジック５０６へ渡される。
【００３９】
出力ロジック５０６は、周波数追跡ロジック５０２によって決定された周波数推定値を、例えばデータ復調器のような受信デバイスの他の部分へ出力するように動作する任意の適切なハードウェアおよび／またはソフトウェアを備える。
【００４０】
局面では、この周波数追跡システムは、例えば、周波数追跡ロジック５０２に位置するプロセッサのような少なくとも１つのプロセッサによって実行された場合、本明細書に記載の周波数追跡システムの機能を提供するように動作するコンピュータ読取可能媒体上に格納された１または複数のプログラム命令群を備えるコンピュータ・プログラムを備える。例えば、これら命令群は、例えばフロッピー（登録商標）ディスク、ＣＤＲＯＭ、メモリ・カード、フラッシュ・メモリ・デバイス、ＲＡＭ、ＲＯＭ、または、周波数追跡ロジック５０２へインタフェースするその他任意のタイプのメモリ・デバイスまたはコンピュータ読取可能媒体のようなコンピュータ読取可能媒体から周波数追跡ロジック５０２へロードすることができる。別の局面では、これら命令群は、外部デバイスまたはネットワーク・リソースから周波数追跡ロジック５０２へダウンロードすることができる。これら命令群は、実行された時、本明細書に記載したような周波数追跡システムの局面を提供するように動作する。
【００４１】
従って、周波数追跡システム５００は、受信波形を迅速かつ効率的に獲得および周波数追跡するように動作する。この周波数追跡システム５００は、単に１つの実施であり、他の実施も本局面の範囲内で可能なことが注目されるべきである。
【００４２】
（追跡アルゴリズム）  
１または複数の局面では、受信波形の迅速な獲得および周波数追跡を与えるように動作する周波数追跡アルゴリズムが提供される。例えば、局面では、周波数追跡ロジック５０２は、下記に述べる周波数追跡アルゴリズムを実行するように動作する。
【００４３】
追跡システムは、ＷＩＣシンボル、ＬＩＣシンボル、およびＴＤＭ２シンボルに基づいて周波数推定値を決定する追跡アルゴリズムを提供する。例えば、ＷＩＣシンボル、ＬＩＣシンボル、およびＴＤＭ２シンボルは、図２に示すようなＷＩＣ２０４シンボル、ＬＩＣ２０６シンボル、およびＴＤＭ２  ２０８シンボルとしてフォーマットされることができる。局面では、ＷＩＣ２０４シンボルを用いた周波数追跡の結果は、ＬＩＣ２０６シンボルを用いた追跡の最初に適用され、ＬＩＣ２０６シンボルを用いた周波数追跡の結果は、ＴＤＭ２  ２０８シンボルを用いた追跡の最初に適用される。同様に、ＴＤＭ２の追跡の結果は、データ復調の最初に適用される。従って、追跡アルゴリズムは、データ復調に先立って、迅速な獲得および周波数追跡を提供するように動作する。
【００４４】
ＷＩＣシンボル／ＬＩＣシンボルの各々では、同じ５１２のＯＦＤＭ時間領域サンプルが８回繰り返される。ＴＤＭ１シンボルを用いて実行される最初の周波数および粗タイミング推定の後、チャネル・プロファイルに依存する−５１２〜＋２５６のＯＦＤＭサンプルのタイミング不確定性がある。追跡アルゴリズムの局面では、相関付けられるサンプルを特定する２つのウィンドウが選択される。例えば、図３に示すように、第１のウィンドウ３１４と第２のウィンドウ３１６とが選択される。ウィンドウ３１４，３１６は、選択されたサイズを持っている。それは、この例において５１２サンプルと等しい。しかしながら、他のウィンドウ・サイズもまた選択されうる。ウィンドウ３１４，３１６は、周期性ファクタ３１８によって隔てられる。周期性ファクタ３１８は、２つのウィンドウ間のサンプル数を表わす。それは、ウィンドウ中のサンプルの繰り返し構造に基づく。
【００４５】
ＴＤＭ２シンボル３０８では、２０４８の時間領域サンプルが２度繰り返される。従って、ＴＤＭ２の構造はまた、ＷＩＣ／ＬＩＣ３０２シンボルに類似した時間領域における周期性を表す。局面では、遅延相関付けを行なうために、２０４８のサンプルによって隔てられた５１２のサンプルからなる２つのウィンドウを選択することが望ましい。そのような実施は、ＷＩＣシンボル、ＬＩＣシンボル、およびＴＤＭ２シンボルの全てにおいて、周波数追跡のために設計されたハードウェアを用いることができるので、ハードウェア複雑さが低減される。更に、周波数推定値に到達する遅延相関付けを実行するために、ＴＤＭ２において２０４８サンプルまたは４０９６サンプル隔てられた異なるサイズのウィンドウを選択することも可能である。局面では、周波数追跡アルゴリズムは以下のように動作する。
【００４６】
ｒｍ，ｋが、ＯＦＤＭシンボルの受信サンプル・シーケンスとする。すると、ｒｍ，ｋは、次式によって定義される。  
【数１】
2009522962.tif 000003
【００４７】
ここで、ｘｍ，ｋは、チャネル・インパルス応答で畳み込まれた送信信号からなるチャネル出力シーケンスを示し、ｍはＯＦＤＭシンボル・インデクスを示し、ｋはサンプル・インデクスを示し、ＮＴは、ＯＦＤＭシンボル毎の合計サンプル数を示し、Δｆ’は、規格化された周波数オフセット（１つのＯＦＤＭサンプル持続時間（秒）が乗じられた（Ｈｚ））である。φは、初期位相オフセットである。
【００４８】
それらの周期的構造により、ＷＩＣシンボル、ＬＩＣシンボル、およびＴＤＭ２シンボルにおけるＯＦＤＭサンプルは、以下のように表現することができる。  
【数２】
2009522962.tif 000004
【００４９】
そして、Ｎが２０４８である場合、追跡中の周波数追跡ロジック５０２の出力は、次の式によって与えられる。  
【数３】
2009522962.tif 000005
【００５０】
ここで、  
【数４】
2009522962.tif 000006
【００５１】
上記式の第１項は、検出器ゲインＧＤが乗じされた所望の周波数誤りである。固定されたＡＧＣ設定を用いると、  
【数５】
2009522962.tif 000007
【００５２】
は、ほぼ一定であり、サンプル毎の受信信号のエネルギの５１２倍に等しいと仮定される。上記式における第２項および第３項は、ループへ入力される雑音を表す。シーケンス｛ｘｍ，ｋ｝および｛ｎｍ，ｋ｝がＩＩＤであり、各々が分散σｓ２、σｎ２のゼロ平均ガウシアンを持つと仮定すると、合計入力雑音は、ゼロ平均および分散  
【数６】
2009522962.tif 000008
【００５３】
を持つホワイトであると示される。
【００５４】
ｍ番目に受信されたＯＦＤＭシンボルの周波数誤り推定値は、以下の通りとなる。  
【数７】
2009522962.tif 000009
【００５５】
局面では、追跡アルゴリズムは、  
【数８】
2009522962.tif 000010
【００５６】
に従って、周波数推定値を更新するために、ワン・タップ・フィルタを用いて、ＷＩＣ／ＬＩＣ／ＴＤＳ２のＯＦＤＭシンボルにおける追跡を行う。ここで、ｆｎは、ｎ番目のＯＦＤＭシンボルを回転させるために使用される周波数推定値であり、Δｆｎは、ｎ番目のＯＦＤＭシンボルにおける周波数推定ブロックからの周波数誤り推定値である。ループ・ゲイン（α）は、ループを更新するために使用される。２つのＯＦＤＭサンプル間の相関性が蓄積され、次に、Δｆｎを導出するために虚数部分がスケールされる。得られた周波数誤り推定値をフィルタするために、その他のフィルタを実施することも可能であることに留意されたい。
【００５７】
図６は、周波数追跡システムで使用される周波数追跡ロジック６００の局面の詳細ブロック図を示す。例えば、周波数追跡ロジック６００は、図５に示される周波数追跡ロジック５０２として使用するのに適している。局面では、周波数追跡ロジック６００は、現在の周波数推定値を更新するために使用される周波数誤り推定値（Δｆｎ）を計算するように動作する。局面では、周波数追跡ロジック６００は、例えば、上述したＷＩＣシンボル、ＬＩＣシンボル、およびＴＤＭ２シンボルのような周期的構造を有する１または複数のシンボルから、周波数誤り推定値を決定するように動作する。
【００５８】
周波数追跡ロジック６００は、シンボル・インデクス６３０を受け取り、周期性ファクタ（ｐ）６２６およびウィンドウ・サイズ（ｗ）６２８を生成するように動作する制御ロジック６２４を備える。例えば、この制御ロジック６２４は、シンボル・インデクス値に基づいて、選択ウィンドウ・サイズおよび周期性ファクタを生成するようにプリプログラムされたメモリでありうる。ウィンドウ・サイズ６２８は、選択されたシンボルのうちどれだけ多くのサンプルが、相関器６０６によって与えられる相関に含まれるべきかを示す。周期性ファクタ６２６は、どれだけ多くのサンプルが２つのウィンドウ間にあるかを示す。これは、シンボルの周期的構造に基づいている。例えば、ＷＩＣシンボルがシンボル・インデクス６３０によって受け取られ、識別されると仮定すると、ウィンドウ・サイズ６２８は、図３に例示するような５１２のサンプルからなる１または複数のグループを表わしうる。周期性ファクタ６２６は、２つのウィンドウ間のサンプル数に基づく。それは、シンボルの周期的構造を反映する。例えば、ＷＩＣシンボル構造は、データの８つの周期を含む。それは様々な組合せで相関付けられうる。例えば、第１のグループが第６のグループと相関付けられたり、第２および第３のグループとがともに取られ、第５および第６のグループと相関付けられうる。従って、ウィンドウ・サイズ６２８および周期性ファクタ６２６は、相関付けられる周期的構造を有するサンプルのグループを識別するように動作する。
【００５９】
位相回転子６０２は、ＷＩＣシンボル、ＬＩＣシンボル、およびＴＤＭ２シンボルを備える入力サンプルを受け取るように動作する。この位相回転子６０２は、サンプル・シーケンスｒｍ，ｋを備える周波数推定値６０４を生成するために、誤り推定値６２０を用いて受信サンプルの位相を回転させるように動作する。この周波数推定値６０４は、ＦＦＴロジックに渡され、データを復調し、かつ、受信デバイスにおける他の機能を容易にするために用いられる。
【００６０】
周波数推定値６０４はまた、バッファ６１６および相関器６０６へ入力される。バッファ６１６は、バッファ出力ｒｍ，ｋ−ｐを生成するために、周波数推定値６０４のサンプルをバッファするように動作する。ここで「ｐ」は、周期性ファクタを示す。例えば、図３に例示するように、ＷＩＣシンボルおよびＬＩＣシンボル３０２は、３１４および３１６に示すような５１２サンプルからなるウィンドウ・サイズと、３１８に示すような１５３６サンプルからなる周期性とを有しうる。ＴＤＭ２シンボル３０８は、３２０および３２２によって示されるウィンドウ・サイズと、３２４によって示される周期性とを有する。
【００６１】
相関器６０６は、合計ロジック６１８へ入力される相関値を生成するために、現在の周波数推定値６０４を、バッファ出力へ相関付けるように動作する。例えば、バッファ出力は、周期性ファクタ６２６に従ってサンプルを遅延させることによって生成される。
【００６２】
合計ロジック６１８は、飽和ロジック６０８へ入力される合計値を生成するために、相関値と蓄積値６２４とを合算するように動作する。飽和ロジック６０８は、この合計値をスケールし、蓄積ロジック６１０へ入力されるスケール済合計値を得る。蓄積ロジック６１０は、このスケール済合計値を蓄積して、蓄積値６２４を得る。これは、角度推定器６２２へ入力される。
【００６３】
この角度推定器６２２は、ＡＧＣ補償値６１２を用いて、蓄積値６２４の位相を決定するように動作する。誤り推定値６２０を生成する位相蓄積器６１４へ入力される位相出力が生成される。
【００６４】
局面では、周波数追跡ロジック６００は、本明細書で記述された周波数追跡システムの機能を提供するために、機械読取可能命令を実行するように構成された少なくとも１つのプロセッサによって実施される。別の局面では、周波数追跡ロジック６００は、ハードウェアおよび／またはソフトウェアの任意の組み合わせを備えた離散的な機能要素によって実施される。
【００６５】
動作中、選択された周期性ファクタによって隔てられた２つのＯＦＤＭサンプルが、周波数推定値を生成するために使用される。角度推定器６２２では、ＡＧＣゲイン補償値６１２が入力される。これは、処理された相関値が乗じられる。一般に、ＡＧＣゲイン補償値６１２は、ループ・ゲイン（α）が、０．８、０．４、０．２、０．１、０．０５および０．０２５に設定されるように選択される。局面では、ゲイン補償値６１２は、ループ・ゲインαが、１の値に設定されるように選択される。
【００６６】
局面では、初期周波数推定値（すなわち、ＴＤＭ１シンボルに基づく）は、周波数追跡ロジック６００よりも大きな周波数推定誤りを与える。従って、初期周波数推定値が大きな推定誤りを有し、周波数追跡ロジック６００が、小さな推定誤りまたはゼロ推定誤りを与えるように動作する特定の場合には、周波数追跡システム・ロジック６００からの結果である周波数推定値を直ちに適用することが望ましい。これは、ＡＧＣゲイン補償値６１２を５／４増加することによってなされる。これは、１、０．５、０．２５、０．１２５、および０．０６２５からなるループ・ゲイン値を与える。局面では、ゲイン補償値６１２は、ソフトウェア・プログラム可能な値であり、規則的なＯＦＤＭシンボルの間、ＷＩＣ／ＬＩＣ／ＴＤＭ２周波数追跡および追跡のために異なる値を容易に用いることが可能となる。したがって、ループ・ゲインを実現するために、ＡＧＣゲイン補償値６１２の２つの異なるセットを使用することができる。局面では、０．８からなるループ・ゲインを実現するために使用されるＡＧＣゲイン補償値６１２が、下記の表１に与えられる。  
【表１】
2009522962.tif 000011
【００６７】
図７は、周波数追跡システムの局面を提供する方法７００を示す。例えば、局面では、周波数追跡ロジック６００は下記に述べるように、方法７００を実行するように構成されている。
【００６８】
ブロック７０２では、サンプルが受信波形から得られる。例えば、入力ロジック３０４は、受信波形からサンプルを提供するように動作する。局面では、波形は、周期的構造を有する１または複数のシンボルを含む図２に例示するような送信フレームを備える。例えば、これらシンボルは、図３に例示するようなＷＩＣシンボル、ＬＩＣシンボル、またはＴＤＭ２シンボルでありうる。
【００６９】
ブロック７０４では、粗い周波数推定値が決定される。例えば、受信波形に含まれるＴＤＭ１シンボルに基づいて粗い周波数推定値を決定するために、如何なる適切な技術をも使用することができる。
【００７０】
ブロック７０６では、周期的構造を有するシンボルが受け取られる。例えば、ＷＩＣシンボル、ＬＩＣシンボル、あるいはＴＤＭ２シンボルが受け取られる。局面では、受信シンボルのサンプルが受け取られ、位相回転子６０２へ入力される。
【００７１】
ブロック７０８では、ウィンドウ・サイズおよび周期性ファクタが決定される。例えば、シンボルの周期的構造に基づいて、相関関数において使用される選択されたシンボルのサンプル数を示すウィンドウ・サイズが選択される。周期性ファクタは、相関付けられる２つのウィンドウを隔てる選択されたシンボルのサンプル数を示すために選択される。例えば、制御ロジック６２４は、相関器６０６へ入力されるウィンドウ・サイズと、バッファ６１６へ入力される周期性ファクタ（ｐ）とを決定するように動作する。ＷＩＣシンボル、ＬＩＣシンボル、およびＴＤＭ２シンボルの周期的構造によって、３つ全てのシンボルのためにアルゴリズムを実行するために、同じウィンドウ・サイズおよび周期性ファクタを使用することが可能であることが注目されるべきである。他の局面では、各シンボルのために、異なるウィンドウ・サイズおよび周期性ファクタが選択される。
【００７２】
ブロック７１０では、周波数誤り推定値が決定される。例えば、周波数追跡ロジック６００は、受信シンボルのサンプルを含んでいる２つのウィンドウを相関付けることにより、周波数誤り推定値６２０を決定するように動作する。これら２つのウィンドウは、ウィンドウ・サイズ・パラメータによって定義されるサイズを有しており、周期性ファクタから決定されたサンプル量によって隔てられる。
【００７３】
ブロック７１２では、現在の周波数推定値が、周波数誤り推定値を用いて更新される。例えば、位相回転子６０２は、新しい（あるいは更新された）周波数推定値６０４を生成するために、周波数誤り推定値６２０を用いて、現在の周波数推定値を調節するように動作する。
【００７４】
ブロック７１４では、更新された周波数推定値が出力される。例えば、位相回転子６０２は、更新された周波数推定値を周波数推定値６０４として出力する。それは受信デバイスのＦＦＴロジックへ入力されうる。
【００７５】
ブロック７１６では、テストが行われ、周波数推定値を更新するために使用されうる周期的構造を有する更なるシンボルが存在するかが判定される。例えば、ＷＩＣシンボルがちょうど処理されたのであれば、現在の周波数推定値を更新するために使用することができる周期的構造を有するＬＩＣシンボルあるいはＴＤＭ２シンボルが存在しうる。利用可能な周期的構造を有するシンボルが更に存在する場合、方法はブロック７０６へ進む。利用可能なシンボルがこれ以上ない場合、方法はブロック７１８において終了する。
【００７６】
従って、方法７００は、デバイスが、受信信号を迅速に獲得し周波数追跡することを可能にする周波数追跡システムを提供するように動作する。方法７００は、単なる１つの実施を表しており、方法７００の変更、追加、削除、組合せ、あるいはその他の変形が、局面の範囲内で可能であることが注目されるべきである。
【００７７】
図８は、周波数追跡システム８００の局面を示す。追跡システム８００は、複数のサンプルを受け取る手段（８０２）を備える。例えば、局面では、手段８０２は、入力ロジック５０４あるいは位相回転子６０２を備える。
【００７８】
この追跡システム８００は更に、ウィンドウ・サイズおよび周期性ファクタを決定する手段（８０４）を含む。例えば、局面では、手段８０４は、制御ロジック６２４を備える。
【００７９】
追跡システム８００は更に、相関を蓄積する手段（８０６）を含む。例えば、局面では、手段８０６は相関器６０６を備える。
【００８０】
追跡システム８００は更に、周波数誤り推定値を導出する手段（８０８）を備える。例えば、局面では、手段８０８は、位相蓄積器６１４を備える。
【００８１】
この追跡システム８００は更に、周波数誤り推定値を用いて周波数推定値を更新する手段（８１０）を備える。例えば、局面では、手段８１０は、位相回転子６０２を備える。
【００８２】
局面では、手段（８０２−８１０）は、本明細書で記述されるような周波数追跡システムの局面を提供するプログラム命令を実行するように構成された１または複数のプロセッサを備える。
【００８３】
従って、本明細書で開示された局面に関連して記述された様々な例示的な論理、論理ブロック、モジュール、回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００８４】
本明細書で開示された局面に関連して記述されたアルゴリズムや方法のステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されることができる。プロセッサと記憶媒体はＡＳＩＣに存在することができる。ＡＳＩＣはユーザ端末に存在することができる。あるいは、プロセッサと記憶媒体とは、ユーザ端末において、離散的な構成要素として存在することができる。
【００８５】
開示された局面の記載は、当業者をして、本発明を製造または利用することができるように提供される。これらの実施形態への様々な変形例もまた、当業者には明らかであって、本明細書で定義された一般的な原理は、本発明の精神または範囲から逸脱することなく、例えば、インスタント・メッセージング・サービスあるいは一般的な無線データ通信アプリケーションのような他の局面にも適用されうる。従って、本発明は、本明細書で示された局面に限定されるようは意図されておらず、本明細書で開示された原理および新規の特徴と一致する最も広いスコープが与えられることになっている。「典型的」という用語は、「例、事例、例示として役立つ」ことを意味するために本明細書で使用される。本明細書で「典型的」と記載された何れの局面も、他の局面よりも好適であるとか有利であるとか必ずしも解釈される必要はない。
【００８６】
従って、本明細書において、周波数追跡システムの局面が図示され記述されたが、それらの精神または本質的な特徴から逸脱することなく、様々な変更がこれら局面に対してなされうることが認識されるだろう。従って、本明細書の開示および記載は、特許請求の範囲に記載する本発明の範囲の実例となることが意図されているが、限定することは意図されていない。
【図面の簡単な説明】
【００８７】
【図１】図１は、周波数追跡システムの局面を含むネットワークを示す。
【図２】図２は、周波数追跡システムで使用される送信フレームの局面を示す。
【図３】図３は、周波数追跡システムの局面で使用されるＷＩＣシンボル、ＬＩＣシンボル、およびＴＤＭ２シンボルの周期的構造を例示する図を示す。
【図４】図４は、周波数追跡システムの局面を含む受信ロジックを示す。
【図５】図５は、周波数追跡システムの局面を示す。
【図６】図６は、周波数追跡システムの局面で使用される周波数追跡ロジックの詳細図を示す。
【図７】図７は、周波数追跡システムの局面を提供する方法を示す。
【図８】図８は、周波数追跡システムの局面を示す。
【図１】
2009522962.tif 000012
【図２】
2009522962.tif 000013
【図３】
2009522962.tif 000014
【図４】
2009522962.tif 000015
【図５】
2009522962.tif 000016
【図６】
2009522962.tif 000017
【図７】
2009522962.tif 000018
【図８】
2009522962.tif 000019
【国際調査報告】
2009522962.tif 000020
2009522962.tif 000021
2009522962.tif 000022